(57)【特許請求の範囲】
【請求項１】
建設機械に搭載され、建設機械に関する各種情報を収集する情報収集装置と、前記情報収集装置で収集された建設機械情報を管理する管理装置と、前記情報収集装置に接続され、現場作業に従事する現場作業者が保有する携帯通信端末を備えた建設機械情報システムであって、
前記携帯通信端末は、
前記建設機械の安全点検情報を入力する入力手段と、
前記入力手段により入力された安全点検情報を前記情報収集装置に送信する点検情報送信手段と、を備え、
前記情報収集装置は、
建設機械の稼動状態を示す複数の稼動情報を測定する測定手段と、
前記測定手段により測定された稼動情報と、前記携帯通信端末から送信された前記建設機械の安全点検情報を収集する収集手段と、
前記収集手段により収集された建設機械の稼動情報及び安全点検情報を、ネットワークを介して前記管理装置に送信する機械情報送信手段と、を備え、
前記管理装置は、
前記情報収集装置から、ネットワークを介して送信された建設機械の稼動情報及び安全点検情報を受信する受信手段と、
前記受信手段により受信した各建設機械の稼動情報と安全点検情報を対応付けて記憶する記憶手段と、
前記記憶手段に記憶された建設機械の稼動情報の中から、前記建設機械の異常情報を抽出する抽出手段と、
前記抽出手段により抽出された前記建設機械の異常情報と、前記記憶手段に記憶された当該建設機械の安全点検情報を表示する表示手段と、
前記表示手段に表示された異常情報及び安全点検情報に基づいて判断された、前記建設機械の作業現場における作業指示を入力する指示入力手段と、
前記異常情報及び前記入力された作業指示の情報を、ネットワークを介して前記携帯通信端末に送信する送信手段と、
を備えることを特徴とする建設機械情報システム。
【請求項２】
前記機械情報送信手段は、建設機械の稼動情報を所定の時刻及び必要な時に送信することを特徴とする請求項１記載の建設機械情報システム。
【請求項３】
前記ネットワークはパケット通信網であることを特徴とする請求項１又は２に記載の建設機械情報システム。
【発明の詳細な説明】
【０００１】
【発明の属する技術分野】
本発明は、建設機械に関する各種情報の収集や管理等を行う建設機械情報システムに関する。
【０００２】
【従来の技術】
一般に、作業現場の建設機械には、徹底的な保守管理が要求されており、日常的な始業点検や、定期（月例、年次）点検等が行われている。このような始業前点検、月例点検、年次点検等の法定点検の結果は、従来、現場作業者（点検者）により帳票類に手書きで記入され、建設機械毎に作成された点検ファイルが管理事務所等に保管されていた。管理事務所側では、建設機械毎に点検情報等を収集して、各建設機械の状態を把握し、これら収集された点検情報等に基づいて、作業指示や安全注意事項を、各現場作業員に口頭、及び文書で伝えていた。
【０００３】
しかしながら、上記のように、各建設機械の点検情報や稼動情報が記載された帳票を収集するのは、時間を要し、保守管理の効率が悪いという問題がある。そこで、例えば、特開平６−３３０５３９号に開示されているように、建設機械の情報を、建設機械から自動、又はオペレータの指示により、無線通信で取得する試みがなされている。
【０００４】
【発明が解決しようとする課題】
しかしながら、このような従来の建設機械の保守管理においては、建設機械情報が収集されるだけであったため、収集した建設機械情報に基づいて、現場作業員全員に作業指示や安全注意事項等を伝達するには、依然時間を要し、現場作業効率が悪いという問題があった。
【０００５】
本発明の課題は、各建設機械に関する各種情報をデータベース化することで、建設機械情報の一元管理が可能な建設機械情報システムを提供することである。
【０００６】
【課題を解決するための手段】
本発明は、このような課題を解決するために、次のような特徴を備えている。なお、次に示す手段の説明中、括弧書きにより実施の形態に対応する構成を例示する。符号等は、後述する図面参照符号等である。
【０００７】
請求項１記載の発明は、
建設機械に搭載され、建設機械（例えば、図１の建設機械２０）に関する各種情報を収集する情報収集装置（例えば、図１のデータ収集装置２）と、前記情報収集装置で収集された建設機械情報を管理する管理装置（例えば、図１の管理用ＰＣ３）と、前記情報収集装置に接続され、現場作業に従事する現場作業者が保有する携帯通信端末（例えば、図１の携帯ＰＣ１）を備えた建設機械情報システム（例えば、図１の建設機械情報システム１００）であって、
前記携帯通信端末は、
前記建設機械の安全点検情報を入力する入力手段（例えば、図２の入力部１３）と、
前記入力手段により入力された安全点検情報を前記情報収集装置に送信する点検情報送信手段（例えば、図２の建設機械用Ｉ／Ｆ１４を介して送信）と、を備え、
前記情報収集装置は、
建設機械の稼動状態を示す複数の稼動情報を測定する測定手段（例えば、図４の建設機械内センサ群）と、
前記測定手段により測定された稼動情報と、前記携帯通信端末から送信された前記建設機械の安全点検情報を収集する収集手段（例えば、図４のＣＰＵ２１）と、
前記収集手段により収集された建設機械の稼動情報及び安全点検情報を、ネットワーク（例えば、図１の公衆回線Ｎ）を介して前記管理装置に送信する機械情報送信手段（例えば、図４の無線通信制御部２６）と、を備え、
前記管理装置は、
前記情報収集装置から、ネットワークを介して送信された建設機械の稼動情報及び安全点検情報を受信する受信手段（例えば、図５の通信制御部３４）と、
前記受信手段により受信した各建設機械の稼動情報と安全点検情報を対応付けて記憶する記憶手段（例えば、図５のＲＯＭ３５）と、
前記記憶手段に記憶された建設機械の稼動情報の中から、前記建設機械の異常情報を抽出する抽出手段（例えば、図５のＣＰＵ３１）と、
前記抽出手段により抽出された前記建設機械の異常情報と、前記記憶手段に記憶された当該建設機械の安全点検情報を表示する表示手段（例えば、図５の表示部３２）と、
前記表示手段に表示された異常情報及び安全点検情報に基づいて判断された、前記建設機械の作業現場における作業指示を入力する指示入力手段（例えば、図５の入力部３３）と、
前記異常情報及び前記入力された作業指示の情報を、ネットワークを介して前記携帯通信端末に送信する送信手段（例えば、図５の通信制御部３４）と、
を備えることを特徴としている。
【０００８】
この請求項１記載の発明によれば、建設機械情報を管理する管理装置は、各建設機械の稼動情報を受信して記憶し、建設機械の異常情報等を現場作業者保有の携帯通信端末に送信することで、建設機械の一元管理が可能になる。
【００１０】
また、建設機械情報を管理する管理装置は、各建設機械の稼動情報と安全点検情報の双方をリアルタイムで把握できる上に、双方の情報を対応付けて記憶することで、建設機械の故障時等の傾向を捉えることができ、故障等を未然に防ぐことができる。また、現場の作業状況、建設機械の稼動情報及び安全点検情報に基づいて、管理装置から、データ化された作業指示が、現場作業者保有の携帯通信端末に送信されることで、従来のような口頭の作業指示の場合に比べて、現場作業及び安全管理を円滑に行うことができる。
【００１１】
請求項２記載の発明は、請求項１記載の発明において、
前記機械情報送信手段は、建設機械の稼動情報を所定の時刻及び必要な時に送信することを特徴としている。
【００１２】
この請求項２記載の発明によれば、建設機械に搭載される情報収集装置は、建設機械の稼動情報をある程度ため込んでから所定の時刻及び必要な時に管理装置に送信するため、通信ネットワークを効率的に利用できる。
【００１３】
請求項３記載の発明は、請求項１又は２に記載の発明において、
前記ネットワークはパケット通信網であることを特徴としている。
【００１４】
この請求項３記載の発明によれば、情報量がそれほど多くない建設機械の稼動情報や安全点検情報の伝送を１日に何度行っても、多額の通信料金が発生することがなく、ランニングコストを節約することができる。
【００１５】
【発明の実施の形態】
以下、図を参照して本発明の実施の形態を詳細に説明する。
まず、構成を説明する。
【００１６】
図１は、本発明を適用した建設機械情報システム１００の全体構成を示す図である。図１に示すように、建設機械情報システム１００は、携帯ＰＣ１、建設機械２０に搭載されたデータ収集装置２、管理事務所３０に備えられた管理用ＰＣ３により構成される。携帯ＰＣ１とデータ収集装置２は近接距離でケーブル接続又は無線接続され、データ収集装置２と管理用ＰＣ３は、公衆回線網（パケット通信網）Ｎにより基地局４を介して接続される。
【００１７】
なお、図１においては、本実施の形態の説明を簡略化するため、管理事務所３０が管理している建設機械２０が１台である場合を示しているが、この台数は特に限定されない。
【００１８】
図２は、本発明を適用した携帯ＰＣ１の内部構成を示すブロック図である。携帯ＰＣ（Personal Computer）１は、建設機械２０の点検者が保有するＰＣで、ＣＰＵ１１、表示部１２、入力部１３、建設機械用Ｉ／Ｆ部１４、ＲＯＭ１５、ＲＡＭ１６により構成され、各部はバス１７により接続されている。
【００１９】
ＣＰＵ（Central Processing Unit）１１は、ＲＯＭ１５に記憶されているシステムプログラム、及び各種アプリケーションプログラムの中から指定されたプログラムを、ＲＡＭ１６内のプログラム格納エリアに展開し、入力部１３、建設機械用Ｉ／Ｆ部１４から入力されるデータに応じて、該プログラムに従った処理を実行し、処理結果をＲＡＭ１６のワークエリアに一時格納するとともに表示部１２に表示する。また、ＣＰＵ１１は、入力部１３から入力された指示信号に基づいて、前記処理結果をＲＯＭ１５内の指示された保存先に保存する。
【００２０】
例えば、携帯ＰＣ１を保有する現場作業者により、携帯ＰＣ１の表示部１２に表示されたメイン画面から、建設機械２０の始業点検が指定されると、ＣＰＵ１１は、ＲＯＭ１５に格納された始業点検処理プログラムを読み出し、ＲＯＭ１５に記憶された始業点検項目テーブル１５１（図３参照）を読み出して、表示部１２に始業点検画面を表示させ（図７参照）、該現場作業者に点検結果の入力を促す。
【００２１】
表示部１２は、ＬＣＤ（Liquid Crystal Display）等の表示画面を有し、ＣＰＵ１１から入力される表示信号に従って、所要の表示を行う。表示部１２における画面表示例を図７に示す。
【００２２】
入力部１３は、文字キー、数字キー等の各種キーを備え、キーの操作信号をＣＰＵ１１に出力する。また、入力部１３は、表示部１２を覆うように設けられたタッチパネルを備えており、電磁誘導式、磁気歪式、感圧式等の座標読み取り原理でタッチ指示された座標を検出し、検出した座標を位置信号としてＣＰＵ１１に出力する。
【００２３】
建設機械用Ｉ／Ｆ部１４は、携帯ＰＣ１と、建設機械に搭載されたデータ収集装置２の間で、各種データを入出力するためのインターフェイスであり、例えば、ＩＥＥＥ１３９４規格に準じた接続端子、ＵＳＢ（Universal Serial Bus）ポートやＲＳ−２３２Ｃ端子をはじめとするシリアル入出力端子、パラレル入出力端子、ＳＣＳＩインターフェイス、ＩｒＤＡ（Infrared Data Association）規格に準じた赤外線通信装置等を備え、有線または無線通信手段によりデータ通信装置２に接続可能である。
【００２４】
ＲＯＭ（Read Only Memory）１５は、携帯ＰＣ１に対応する各種アプリケーションプログラム、始業点検処理プログラム、月例点検処理プログラム、年次点検処理プログラム、及び各処理プログラムで処理されたデータ等を記憶する。
【００２５】
また、ＲＯＭ１５は、図３に示すように、上記各点検処理における点検項目テーブル１５１を記憶している。例えば、クレーンやパワーショベル等の始業点検における点検項目１、２、３、…としては、図３に示すように、それぞれ、「クレーン検査証、車検、及び運転免許資格」、「運転者の表示」、「アウトリガー及びジャッキの作動」、「各部組立ボルトの弛み、脱落」、「歯車の摩耗、損傷」「給油、及び手入れの状態」、「冷却水、潤滑油」、「各種計器の作動」、「各種ブレーキ、及びクラッチの作動状態」等が対応している。
【００２６】
ＲＡＭ（Random Access Memory）１６は、ＣＰＵ１１により実行される上記処理プログラムや各種アプリケーションプログラムを、ＲＡＭ１６内の図示しないプログラム格納領域に展開するとともに、入力指示、入力データ、及び上記処理プログラムが実行される際に生じる処理結果等を、図示しないワークエリアに一時的に格納する。例えば、点検者により、建設機械２０の点検結果が入力されると、ＲＡＭ１６は、これらの点検データをワークエリアに一時的に格納する。
【００２７】
図４は、本発明を適用したデータ処理装置２の内部構成を示すブロック図である。データ処理装置２は、建設機械２０に搭載された装置で、ＣＰＵ２１、建設機械内センサ群に接続されるＩ／Ｆ部２２、ＲＯＭ２３、ＲＡＭ２４、携帯ＰＣ用Ｉ／Ｆ部２５、無線通信制御部２６、計時部２７により構成され、各部は、バス２８により接続される。
【００２８】
ＣＰＵ２１は、ＲＯＭ２３に記憶されているシステムプログラム、及び各種アプリケーションプログラムの中から指定されたプログラムを、ＲＡＭ２４内のプログラム格納エリアに展開し、建設機械内センサ群に接続されたＩ／Ｆ部２２や、携帯ＰＣ用Ｉ／Ｆ部２５を介して入力されるデータに応じて、該プログラムに従った処理を実行し、処理結果をＲＡＭ２４のワークエリアに一時格納する。
【００２９】
例えば、ＣＰＵ２１は、建設機械２０の稼動データとともに、携帯ＰＣ１から送信される建設機械２０の安全点検データを収集して、管理事務所の管理ＰＣ３に送信する建設機械データ収集・送信処理を実行する（図８参照）。ここで、建設機械の稼動データとは、建設機械の油圧、燃料残量、作動油残量、稼動記録（キースイッチのＯＮ、ＯＦＦ）、バッテリ、エンジン回転数等に関する情報のことである。
【００３０】
また、ＣＰＵ２１は、管理用ＰＣ３から、作業指示データ、安全注意事項データ、アラームデータ等を受信すると、直ちにこれらのデータを現場作業員保有の携帯ＰＣ１に送信する。
【００３１】
Ｉ／Ｆ部２２は、建設機械２０の稼動状態を測定するためのセンサ群から、測定された稼動データを入力するためのインターフェイスである。
【００３２】
ＲＯＭ２３は、データ処理装置２に対応する各種アプリケーションプログラム、情報収集処理プログラム、及び各処理プログラムで処理されたデータ等を記憶する。また、ＲＯＭ２３は、建設機械２０の稼動情報を収集する時刻データ（例えば、毎正時）を記憶している。
【００３３】
ＲＡＭ２４は、ＣＰＵ２１により実行される上記処理プログラムや各種アプリケーションプログラムを、ＲＡＭ２４内の図示しないプログラム格納領域に展開するとともに、入力データ、及び上記処理プログラムが実行される際に生じる処理結果等を、図示しないワークエリアに一時的に格納する。また、ＲＡＭ２４は、ＣＰＵ２１による稼動データの取り出し指示があるまで、建設機械内センサ群からＩ／Ｆ部２２を介して、建設機械２０の稼動データをため込んでおり、ＣＰＵ２１により、最新の稼動データが取り出されると、古い稼動データを削除し、今度は新しい稼動データを取り込み始める。建設機械２０のＩＤや製造番号等の建設機械２０の識別情報を記憶している。
【００３４】
携帯ＰＣ用Ｉ／Ｆ部２５は、データ収集装置２と、携帯ＰＣ１との間で、各種データを入出力するためのインターフェイスであり、たとえば、ＩＥＥＥ１３９４規格に準じた接続端子、ＵＳＢポートやＲＳ−２３２Ｃ端子をはじめとするシリアル入出力端子、パラレル入出力端子、ＳＣＳＩインターフェイス、ＩｒＤＡ規格に準じた赤外線通信装置等を備え、有線または無線通信手段により携帯ＰＣ１に接続可能である。
【００３５】
無線通信制御部２６は、アンテナを通して、基地局４との間でデータ収集装置用のパケット通信プロトコルを実行し、設定された通信チャネルによりデータ通信等を行う。
【００３６】
計時部２７は、基準クロックを分周して時刻を計時し、その計時データをＣＰＵ２１に出力する。
【００３７】
図５は、本発明を適用した管理用ＰＣ３の内部構成を示すブロック図である。管理用ＰＣ３は、建設機械２０の作業地域を管轄する管理事務所３０に設置されたＰＣで、ＣＰＵ３１、表示部３２、入力部３３、通信制御部３４、ＲＯＭ３５、ＲＡＭ３６により構成され、各部はバス３７により接続される。また、管理用ＰＣ３は、ケーブルＣ１を介してプリンタ３ａに接続されている。
【００３８】
ＣＰＵ３１は、ＲＯＭ３５に格納されている各種アプリケーションプログラムを読み出してＲＡＭ３６内の図示しないプログラム格納エリアに展開し、これら各プログラムに基づく各種処理を実行し、処理結果をＲＡＭ３６内のワークエリアに一時的に格納するとともに表示部３２に表示する。また、ＣＰＵ３１は、入力部３３から入力された指示信号に基づいて、前記処理結果をＲＯＭ３５内の指示された保存先に保存する。
【００３９】
例えば、ＣＰＵ３１は、データ収集装置２から受信した建設機械２０の機械稼動データや安全点検データ等から、建設機械２０の不良箇所や、燃料不足等の異常情報（アラームデータ）を引き出し、このアラームデータと、管理ＰＣ３ユーザより入力される本日の安全注意事項データ、及び作業指示データとともに、データ収集装置２を介して、点検者（建設機械オペレータ）保有の携帯ＰＣ１に送信する建設機械情報処理を実行する（図９参照）。また、ＣＰＵ３１は、この建設機械情報処理において、建設機械２０の稼動データ、安全点検データ等を対応付けてＲＯＭ３５に格納する。
【００４０】
表示部３２は、ＣＲＴ（Cathode Ray Tube）やＬＣＤ等により構成され、ＣＰＵ３１から入力される表示信号に従って、所要の表示を行う。
【００４１】
入力部３３は、キーボード、マウス等を備え、キーの押下信号や、マウスによる操作信号をＣＰＵ３１に出力する。
【００４２】
通信制御部３４は、モデム（ＭＯＤＥＭ：MOdulator/DEModulator）、又はターミナルアダプタ（Terminal Adapter）等によって構成され、電話回線、ＩＳＤＮ回線等の通信回線を介して外部機器との通信を行うための制御を行う。モデムは、電話回線を介してパーソナルコンピュータ等の外部機器との通信を行うために、ＣＰＵ３１によって処理されたデジタルデータを電話回線の周波数帯域にあったアナログ信号に変調し、また、電話回線を介して入力されたアナログ信号をデジタル信号に復調する装置である。ターミナルアダプタは、ＩＳＤＮ回線を介してパーソナルコンピュータ等の外部機器との通信を行うために、既存のインターフェイスをＩＳＤＮに対応するインターフェイスに変換する装置である。
【００４３】
ＲＯＭ３５は、管理用ＰＣ３に対応する各種アプリケーションプログラム、機械情報データ処理プログラム、及び各処理プログラムで処理されたデータ等を記憶する。
【００４４】
例えば、ＲＯＭ３５は、図６に示すように、建設機械毎に実行される建設機械情報処理（図９参照）において、建設機械２０から受信した、建設機械２０の稼動データ、安全点検データ等を対応付けて、ＲＯＭ３５内の指定領域に格納することで、建設機械情報ＤＢ（Data Base）３５１が作成される。
【００４５】
ＲＡＭ３６は、ＣＰＵ３１により実行される上記処理プログラムや各種アプリケーションプログラムを、ＲＡＭ３６内の図示しないプログラム格納領域に展開するとともに、入力指示、入力データ、及び上記処理プログラムが実行される際に生じる処理結果等を、図示しないワークエリアに一時的に格納する。
【００４６】
また、このＲＡＭ３６は、建設機械毎に、建設機械が正常に稼動するための基準データとして、油圧、燃料残量、作動油残量、バッテリ残量、エンジン回転数等の稼動情報に関する基準値を示すデータを記憶している。
【００４７】
図１において、基地局４は、自己の設置場所から通信可能範囲に存在する建設機械２０が搭載するデータ収集装置２との間で、無線によるパケット通信プロトコルを実行するとともに、公衆回線網（パケット通信網）Ｎを介して接続された管理用ＰＣ３との間で、有線又は無線によるパケット通信プロトコルを実行する。
【００４８】
次に、本実施の形態の動作を説明する。
まず、携帯ＰＣ１において定期的に実行される安全点検情報送信処理について説明する。以下では、安全点検として始業点検を行う場合を説明する。
【００４９】
始業時間前において、点検者により、携帯ＰＣ１の表示部１２に表示されたメイン画面から、タッチペンにて始業点検画面が選択されると、ＣＰＵ１１は、図７に示すような始業点検画面を表示し、点検者に、始業点検作業と、点検結果の入力を促す。
【００５０】
図７に示した点検項目１、２、３、…としては、図３に示した始業点検項目が対応しており、例えば、点検者により、建設機械２０の歯車を交換する必要あると判断され、点検項目５「歯車の摩耗、損傷」がタッチペンでタッチ指示されると、ＣＰＵ１１は、点検項目５画面に移行させ、点検者に点検データの入力を促す。そして、点検項目５画面において、点検者によりタッチペンにて歯車交換が必要である旨が入力され、入力内容（点検項目データ）はＲＡＭ１６に一時格納される。
【００５１】
各点検項目に対する点検項目データ入力が終了し、点検者により、始業点検画面の「送信」がタッチ指示されると、ＣＰＵ１１は、建設機械用Ｉ／Ｆを介して、建設機械２０が搭載するデータ収集装置２に対して、ＲＡＭ１６に一時格納されていた点検項目データを、現在時刻データとともに送信する。
【００５２】
次に、図８を参照して、データ収集装置２において実行される建設機械データ収集・送信処理を実行する。
【００５３】
計時部２７から入力される時刻データがＲＯＭ２３に記憶された、稼動情報収集する所定の時刻（例えば、毎正時）になった時、又は、携帯ＰＣ１から携帯ＰＣ用Ｉ／Ｆ２５を介して、安全点検データを受信すると（ステップＳ１）、ＣＰＵ２１は、ＲＡＭ２４にため込まれた建設機械２０の最新の稼動データを取り込む（ステップＳ２）。
【００５４】
建設機械２０の稼動データを取り込むと、ＣＰＵ２１は、この稼動データを、ＲＡＭ２４に記憶された建設機械２０の識別データとともに、管理事務所３０内の管理ＰＣ３に向けて送信し（ステップＳ３）、本建設機械データ収集・送信処理を終了する。ステップＳ１で携帯ＰＣ１から、建設機械２０の安全点検データを受信していた場合は、建設機械の稼動データ、識別データに加えて、安全点検データも送信する。
【００５５】
なお、データ収集装置２は、携帯ＰＣ１より安全点検情報を受信した時、又は所定の時刻になった時以外に、センサが何らかの異常を検知した際に、その異常情報を直ちに管理ＰＣ３に送信するようにしてもよい。
【００５６】
次に、図９を参照して、管理事務所３０に設置された管理用ＰＣ３において実行される建設機械情報処理について説明する。
【００５７】
まず、データ収集装置２から公衆回線Ｎを介して、建設機械の稼動データを受信すると（ステップＴ１）、ＣＰＵ３１は、入力部３３から入力された、ＲＯＭ３５内の保存先を指定する指示信号に従って、受信された稼動データをＲＯＭ３５内の建設機械ＤＢ３５１に保存する（ステップＴ２）。
【００５８】
次に、ＣＰＵ３１は、ＲＯＭ３５に保存した建設機械２０の稼動データと、ＲＡＭ３６に記憶されている建設機械２０の基準データとを比較し、所定の基準範囲外の稼動データ（アラームデータ）を抽出する（ステップＴ３）。
【００５９】
次いで、ＣＰＵ３１は、表示部３２にメイン画面を表示し、建設機械２０の機械稼動状況を示す画面としてアラーム画面が選択されると、図１０に示すようなアラーム画面に移行し、ステップＴ３で抽出されたアラームデータをアラーム１、２、…として表示する（ステップＴ４）。例えば、建設機械２０の燃料残量、及びバッテリ残量が不足している場合、図１０に示したアラーム画面において、アラーム１として燃料残量、アラーム２としてバッテリ残量等が表示される。
【００６０】
図１０のアラーム画面において、「送信」が選択されると、ＣＰＵ３１は、アラームデータを、現在時刻データとともに、データ収集装置２に向けて送信し（ステップＴ５）、本建設機械情報処理を終了する。
【００６１】
なお、始業点検時等で、ステップＴ１で、建設機械２０の稼動データとともに、安全点検データを受信した場合、ＣＰＵ３１は、まず、該稼動データと安全点検データとを対応付けてＲＯＭ３５の指定保存先に保存し、受信した安全点検データのうち、点検者により、異常ありと判断された点検項目、すなわち不良箇所や部品交換が必要と判断された箇所を抽出する。ＲＯＭ３５に保存された稼動データや安全点検データは、必要に応じて、プリンタ３ａに出力する。
【００６２】
そして、ＣＰＵ３１は、図１０に示すように、ステップＴ３で抽出されたアラームデータを表示部３２に表示させるとともに、ＲＯＭ３５に保存された建設機械２０の安全点検データを読み込んで表示させ、管理ＰＣ３ユーザに、上記アラームデータ、及び安全点検データに基づいた、作業指示や安全注意事項等の入力を促すととともに、これらの入力データのデータ収集装置２への送信を促す。
【００６３】
管理用ＰＣ３から、作業指示データ、安全注意事項データ、アラームデータを受信したデータ収集装置２は、直ちにこれらのデータを現場作業員保有の携帯ＰＣ１に送信することになる。
【００６４】
以上のように、本実施の形態の建設機械情報システム１００によれば、管理ＰＣ３は、複数の建設機械の機械的情報（稼動・点検データ）、人的情報（作業指示データ）の双方を収集して、これら建設機械情報のデータベース化を行い、建設機械の一元管理が可能になることで、管理事務所側は、例えば、建設機械の故障時の傾向をとらえることができ、現場作業員に対し、適切な作業指示を出し、故障を事前に防ぐことができる。
【００６５】
また、管理事務所側は、各建設機械の安全点検データや、所定の時刻（例えば、毎正時）に受信する各建設機械の稼動データを、リアルタイムで把握できることで、現場作業員に作業指示や安全注意事項等を迅速に伝達することができ、現場作業効率、及び安全管理を向上させることができる。
【００６６】
更に、データ化された作業指示や安全注意事項が現場作業員の携帯ＰＣ１に伝送され、表示部１２に表示されることで、現場作業員は、目視により作業内容を把握でき、管理事務所側と現場作業員との間で、言った、言わないといった誤解が生じることがなく、現場作業を円滑に行うことができる。
【００６７】
また、建設機械２０に関する稼動データ、点検データ伝送、及び作業指示等のデータ伝送には、公衆回線Ｎを用いることで、伝送距離が限られている特定省電力無線や業務用無線等の無線機を使用する場合と違って、建設機械２０が管理事務所からかなり離れたところに位置していても、データ伝送が可能になる。
【００６８】
更に、データ収集装置２と管理用ＰＣ３とのデータ通信として、データ量（パケット量）を単位としたパケット通信を採用しているため、データ量がそれほど多くない稼動データ等の伝送を１日に何度行っても、多額の通信料金が発生することがなく、ランニングコストを節約することができる。
【００６９】
なお、建設機械２０にＧＰＳ（Global Positioning System）等を使用した出来形管理システムが搭載されている場合、建設機械２０は、稼動データ、安全点検データとともに、出来形データを管理用ＰＣ３に送信し、管理用ＰＣ３では、稼動データ、安全点検データ、及び出来形データを互いに対応付けて、建設機械情報ＤＢ３５１に格納する。
【００７０】
【発明の効果】
請求項１記載の建設機械情報システムによれば、建設機械情報を管理する管理装置は、各建設機械の稼動情報を受信して記憶し、建設機械の異常情報等を現場作業者保有の携帯通信端末に送信することで、建設機械の一元管理が可能になる。
【００７１】
また、建設機械情報を管理する管理装置は、各建設機械の稼動情報と安全点検情報の双方をリアルタイムで把握できる上に、双方の情報を対応付けて記憶することで、建設機械の故障時等の傾向を捉えることができ、故障等を未然に防ぐことができる。また、建設機械の稼動情報及び安全点検情報に基づいて、管理装置から、データ化された作業指示が、現場作業者保有の携帯通信端末に送信されることで、従来のような口頭の作業指示の場合に比べて、現場作業を円滑に行うことができる。
【００７２】
請求項２記載の建設機械情報システムによれば、建設機械に搭載される情報収集装置は、建設機械の稼動情報をある程度ため込んでから所定の時刻に管理装置に送信するため、通信ネットワークを効率的に利用できる。
【００７３】
請求項３記載の建設機械情報システムによれば、情報量がそれほど多くない建設機械の稼動情報や安全点検情報の伝送を１日に何度行っても、多額の通信料金が発生することがなく、ランニングコストを節約することができる。
【図面の簡単な説明】
【図１】本発明を適用した建設機械情報システム１００の全体構成を示す図である。
【図２】本発明を適用した携帯ＰＣ１の内部構成を示すブロック図である。
【図３】携帯ＰＣ１内のＲＯＭ１５に記憶されている、クレーンやパワーショベルに対する始業点検項目テーブル１５１を示す図である。
【図４】建設機械２０に搭載されるデータ収集装置２の内部構成を示すブロック図。
【図５】管理事務所３０内に設置されている管理用ＰＣ３の内部構成とプリンタ３ａを示すブロック図である。
【図６】管理用ＰＣ３内のＲＯＭ３５に記憶される建設機械情報ＤＢ３５１を示す図である。
【図７】携帯ＰＣ１における始業点検画面（同図（ａ））と、送信データ（同図（ｂ））を示す図である。
【図８】データ収集装置２において実行される建設機械データ収集・送信処理を示すフローチャートである。
【図９】管理用ＰＣ３において実行される建設機械情報処理を示すフローチャートである。
【図１０】建設機械２０に対するアラームデータを示すアラーム画面を示す図である。
【符号の説明】
１    携帯ＰＣ
２    データ収集装置
３    管理用ＰＣ
３ａ  プリンタ
４    基地局
１１、２１、３１  ＣＰＵ
１２、３２  表示部
１３、３３  入力部
１４  建設機械用Ｉ／Ｆ部
１５、２３、３５  ＲＯＭ
１５１    始業点検項目デーブル
３５１    建設機械ＤＢ
１６、２４、３６  ＲＡＭ
１７、２８、３７  バス
２２  Ｉ／Ｆ
２５  携帯ＰＣ用Ｉ／Ｆ
２６  無線通信制御部
２７  計時部
３４  通信制御部
２０    建設機械
３０    管理事務所
１００  建設機械情報システム
Ｃ１  ケーブル
Ｎ    公衆回線網（パケット通信網）
【図１】
0003763770.tif 000002
【図２】
0003763770.tif 000003
【図３】
0003763770.tif 000004
【図４】
0003763770.tif 000005
【図５】
0003763770.tif 000006
【図６】
0003763770.tif 000007
【図７】
0003763770.tif 000008
【図８】
0003763770.tif 000009
【図９】
0003763770.tif 000010
【図１０】
0003763770.tif 000011